(57)【要約】  移動体電子装置は、ビデオディスプレイ、ユーザインタフェース、無線送信器及びコントローラを含んでもよい。ビデオディスプレイは、移動体電子装置のユーザにビデオ情報を提供するように構成されてもよく、ユーザインタフェースは、移動体電子装置においてユーザ入力を受け付けるように構成されてもよい。コントローラは、ビデオディスプレイ、ユーザインタフェース及び無線送信器に結合されてもよい。コントローラは、ユーザインタフェースにおいて受け付けたユーザ入力に応答してビデオゲームを実行し、移動体ゲーム装置のビデオディスプレイ上に表示するためのビデオゲームに対する個人ゲームビデオ情報を生成し且つ無線送信器からの送信及び公衆ディスプレイ上に表示するためのビデオゲームに対する公開ゲームビデオ情報を生成するように構成されてもよい。更に、個人ゲームビデオ情報と公開ゲームビデオ情報とが異なってもよい。関連するゲーム装置及び方法についても説明される。
2008501382.tif 000002
【特許請求の範囲】
【請求項１】
移動体電子装置であって、
前記移動体電子装置のユーザにビデオ情報を提供するように構成されたビデオディスプレイと、
前記移動体電子装置においてユーザ入力を受け付けるように構成されたユーザインタフェースと、
無線送信器と、
前記ビデオディスプレイ、前記ユーザインタフェース及び前記無線送信器に結合されるコントローラであって、前記ユーザインタフェースにおいて受け付けたユーザ入力に応答してビデオゲームを実行し、前記移動体電子装置の前記ビデオディスプレイ上に表示するための前記ビデオゲームに対する個人ゲームビデオ情報を生成し、かつ、前記無線送信器からの送信及び公衆ディスプレイに表示するための前記ビデオゲームに対する公開ゲームビデオ情報を生成する、ように構成されたコントローラと
を備え、
前記個人ゲームビデオ情報と前記公開ゲームビデオ情報とが異なることを特徴とする移動体電子装置。
【請求項２】
前記無線送信器はショートレンジ送信器であることを特徴とする請求項１に記載の移動体電子装置。
【請求項３】
前記ショートレンジ送信器は、BlueTooth及びWLAN送信器の少なくともいずれかであることを特徴とする請求項２に記載の移動体電子装置。
【請求項４】
無線受信器を更に備え、
前記コントローラは、
前記無線受信器を介してリモート移動体電子装置からゲーム入力を受信し、
前記ユーザインタフェースにおいて受け付けた前記ユーザ入力及び前記リモート移動体電子装置から前記無線受信器において受信された前記ゲーム入力に応答して前記ビデオゲームを実行する
ように更に構成されることを特徴とする請求項１に記載の移動体電子装置。
【請求項５】
前記無線受信器はショートレンジ受信器であることを特徴とする請求項４に記載の移動体電子装置。
【請求項６】
前記ショートレンジ受信器は、BlueTooth及びWLAN受信器の少なくともいずれかであることを特徴とする請求項５に記載の移動体電子装置。
【請求項７】
クライアント／サーバ関係が前記移動体電子装置の前記コントローラと前記リモート移動体電子装置のコントローラとの間に存在し、前記移動体電子装置の前記コントローラがゲームサーバとして動作するように構成され、前記リモート移動体電子装置の前記コントローラがゲームクライアントとして動作するように構成されることを特徴とする請求項４に記載の移動体電子装置。
【請求項８】
前記ビデオゲームの実行動作は、前記移動体電子装置の前記コントローラと前記リモート移動体電子装置のコントローラとの間で分散されることを特徴とする請求項４に記載の移動体電子装置。
【請求項９】
無線電話トランシーバを更に備え、
前記コントローラは、前記無線電話トランシーバを使用して無線電話通信を提供することを特徴とする請求項１に記載の移動体電子装置。
【請求項１０】
前記公衆ディスプレイが、テレビ及びコンピュータモニタのうちいずれか一方であることを特徴とする請求項１に記載の移動体電子装置。
【請求項１１】
移動体電子装置であって、
前記移動体電子装置のユーザにビデオ情報を提供するように構成されたビデオディスプレイと、
前記移動体電子装置においてユーザ入力を受け付けるように構成されたユーザインタフェースと、
無線トランシーバと、
前記ビデオディスプレイ、前記ユーザインタフェース及び前記無線トランシーバに結合されたコントローラであって、前記ユーザインタフェースにおいて受け付けたユーザ入力に応答して前記無線トランシーバを使用してゲーム入力をリモートゲーム装置に送信し、かつ、前記ビデオディスプレイ上に表示するためのゲームビデオ情報を生成する、ように構成されることを特徴とするコントローラと
を備えることを特徴とする移動体電子装置。
【請求項１２】
前記コントローラは、前記無線トランシーバを使用して前記リモートゲーム装置から受信されたビデオ情報に応答して前記ゲームビデオ情報を生成することを特徴とする請求項１１に記載の移動体電子装置。
【請求項１３】
前記無線トランシーバはショートレンジトランシーバであることを特徴とする請求項１１に記載の移動体電子装置。
【請求項１４】
前記ショートレンジトランシーバは、BlueTooth及びWLANトランシーバの少なくともいずれかであることを特徴とする請求項１３に記載の移動体電子装置。
【請求項１５】
クライアント／サーバ関係が前記ゲーム装置と前記コントローラとの間に存在し、前記ゲーム装置は前記ビデオゲームを実行するゲームサーバとして動作するように構成され、前記移動体電子装置の前記コントローラはゲームクライアントとして動作するように構成されていることを特徴とする請求項１１に記載の移動体電子装置。
【請求項１６】
前記ビデオゲームの実行動作は、前記移動体電子装置の前記コントローラと前記リモートゲーム装置のコントローラとの間で分散されることを特徴とする請求項１１に記載の移動体電子装置。
【請求項１７】
前記リモートゲーム装置は、専用ゲーム装置、パーソナルコンピュータ及びラップトップコンピュータの少なくともいずれかであることを特徴とする請求項１１に記載の移動体電子装置。
【請求項１８】
前記リモートゲーム装置は、リモートディスプレイ上に公開ゲームビデオ情報を表示するように構成され、前記移動体電子装置の前記ビデオディスプレイ上に表示するための前記ゲームビデオ情報と前記公開ゲームビデオ情報とが異なることを特徴とする請求項１１に記載の移動体電子装置。
【請求項１９】
前記リモートディスプレイは、テレビ及びコンピュータモニタのうちいずれか一方であることを特徴とする請求項１８に記載の移動体電子装置。
【請求項２０】
前記リモートゲーム装置はリモート移動体電子装置であることを特徴とする請求項１１に記載の移動体電子装置。
【請求項２１】
無線電話トランシーバを更に備え、
前記コントローラは、前記無線電話トランシーバを使用して無線電話通信を提供することを特徴とする請求項１１に記載の移動体電子装置。
【請求項２２】
ディスプレイを有する少なくとも１つの移動体電子装置と協働してビデオゲームを実行するように構成されたコントローラであって、無線インタフェースを介して前記移動体電子装置から受信されたユーザ入力に応答して前記ビデオゲームを実行し、公衆ディスプレイ上に表示するための公開ゲームビデオ情報を生成し、かつ、前記移動体電子装置のディスプレイ上に表示するための前記ビデオゲームに対する個人ゲームビデオ情報を生成するように構成されたコントローラを備え、
前記公開ゲームビデオ情報と前記個人ゲームビデオ情報とが異なることを特徴とするゲーム装置。
【請求項２３】
前記移動体電子装置からの前記ユーザ入力は、ショートレンジ無線インタフェースを介して受信されることを特徴とする請求項２２に記載のゲーム装置。
【請求項２４】
前記ショートレンジ無線インタフェースは、BlueTooth及びWLAN無線インタフェースの少なくともいずれかであることを特徴とする請求項２３に記載のゲーム装置。
【請求項２５】
前記コントローラは、前記無線インタフェースを介して複数の移動体電子装置から受信されたユーザ入力に応答して前記ビデオゲームを実行するように構成されていることを特徴とする請求項２２に記載のゲーム装置。
【請求項２６】
前記個人ゲームビデオ情報は、前記無線インタフェースを介して前記移動体電子装置に送信されることを特徴とする請求項２２に記載のゲーム装置。
【請求項２７】
前記公衆ディスプレイは、テレビ及びコンピュータモニタのうちいずれか一方であることを特徴とする請求項２２に記載のゲーム装置。
【請求項２８】
移動体電子装置上でゲームを実行するための方法であって、
前記移動体電子装置のユーザインタフェースにおいて受け付けたユーザ入力に応答して前記移動体電子装置のコントローラ上でビデオゲームを実行する工程と、
前記移動体電子装置のビデオディスプレイ上に表示するための前記ビデオゲームに対する個人ゲームビデオ情報を生成する工程と、
前記ビデオゲームに対する公開ゲームビデオ情報を生成する工程と、
公衆ディスプレイ上に表示するために無線インタフェースを介して前記公開ゲームビデオ情報を送信する工程と
を備え、前記個人ゲームビデオ情報と前記公開ゲームビデオ情報とが異なることを特徴とする方法。
【請求項２９】
無線受信器を介してリモート移動体電子装置からゲーム入力を受信する工程を更に備え、
前記ビデオゲームの実行には、前記移動体電子装置の前記ユーザインタフェースにおいて受け付けたユーザ入力及び前記リモート移動体電子装置から前記無線受信器を介して受信された前記ゲーム入力に応答した前記ビデオゲームの実行が含まれることを特徴とする請求項２８に記載の方法。
【請求項３０】
移動体電子装置上でゲームを実行するための方法であって、
前記移動体電子装置のユーザインタフェースにおいて受け付けたユーザ入力に応答して、前記移動体電子装置から無線インタフェースを介してリモートゲーム装置にゲーム入力を送信する工程と、
前記移動体電子装置のビデオディスプレイ上に表示するためにゲームビデオ情報を生成する工程と
を備えることを特徴とする方法。
【請求項３１】
ゲームビデオ情報の生成には、前記リモートゲーム装置から前記無線インタフェースを介して受信されたビデオ情報に応答したゲームビデオ情報の生成が含まれることを特徴とする請求項３０に記載の方法。
【請求項３２】
ビデオゲームの実行方法であって、
無線インタフェースを介して移動体電子装置から受信されたユーザ入力に応答して前記ビデオゲームを実行する工程と、
公衆ディスプレイ上に表示するための前記ビデオゲームに対する公開ゲームビデオ情報を生成する工程と、
前記移動体電子装置のディスプレイ上に表示するための前記ビデオゲームに対する個人ゲームビデオ情報を生成する工程と
を備え、前記公開ゲームビデオ情報と前記個人ゲームビデオ情報とが異なることを特徴とする方法。
【請求項３３】
前記ビデオゲームの実行には、前記無線インタフェースを介して複数の移動体電子装置から受信されたユーザ入力に応答した前記ビデオゲームの実行が含まれることを特徴とする請求項３２に記載の方法。
【発明の詳細な説明】
【技術分野】
【０００１】
本発明は、電子回路の分野に関し、特に、ビデオゲーム、並びに関連する装置及び方法に関する。
【背景技術】
【０００２】
従来のコンピュータビデオゲームは、パーソナルコンピュータ等の汎用ゲーム装置又は専用ゲーム装置（Sony PlayStation、MicroSoft Xbox又はNintendo GameCube等）上で実行できる。パーソナルコンピュータ上でコンピュータビデオゲームを実行する時、ビデオゲームの図形要素は、パーソナルコンピュータと結合されるモニタ上に表示できる。専用ゲーム装置上でコンピュータビデオゲームを実行する時、ビデオゲームの図形要素は、専用ゲーム装置に結合されるテレビに表示することができる。１人以上のプレーヤが、汎用ゲーム装置又は専用ゲーム装置を使用してビデオゲームを行なうこともできる。この時、全てのプレーヤは、モニタ又はテレビで同一の情報を閲覧している。
【０００３】
更に、移動体ゲームを、専用移動体ゲーム装置（Nintendo Game Boy等）、無線電話及びパーソナルデジタルアシスタントの少なくともいずれか等の携帯電子装置に提供することができる。
【発明の開示】
【発明が解決しようとする課題】
【０００４】
しかし、携帯電子装置のディスプレイはサイズに制限があるため、複数のプレーヤが同一の携帯電子装置を使用して同一のゲームを行なうことは困難であろう。
【課題を解決するための手段】
【０００５】
本発明の実施形態によると、移動体電子装置は、ビデオディスプレイ、ユーザインタフェース、無線送信器及びコントローラを含んでもよい。ビデオディスプレイは、移動体電子装置のユーザにビデオ情報を提供するように構成されてもよく、ユーザインタフェースは、移動体電子装置においてユーザ入力を受け付けるように構成されてもよい。コントローラは、ビデオディスプレイ、ユーザインタフェース及び無線送信器に結合されてもよい。更に詳細には、コントローラは、ユーザインタフェースにおいて受け付けたユーザ入力に応答してビデオゲームを実行し且つ移動体ゲーム装置のビデオディスプレイ上に表示するためのビデオゲームに対する個人ゲームビデオ情報を生成するように構成されてもよい。コントローラは、無線送信器からの送信及び公衆ディスプレイ上に表示するためのビデオゲームに対する公開ゲームビデオ情報を生成するように更に構成されてもよい。個人ゲームビデオ情報と公開ゲームビデオ情報とが異なってもよい。無線送信器は、BlueTooth及びWLAN送信器の少なくともいずれかのようなショートレンジ送信器でもよい。
【０００６】
移動体電子装置は、無線受信器を更に含んでもよく、コントローラは、無線受信器を介してリモート移動体電子装置からゲーム入力を受信し且つユーザインタフェースにおいて受け付けたユーザ入力及びリモート移動体電子装置から無線受信器において受信されたゲーム入力に応答してビデオゲームを実行するように更に構成される。無線受信器は、BlueTooth及びWLAN受信器の少なくともいずれかのようなショートレンジ受信器でもよい。更に、クライアント／サーバ関係が移動体電子装置のコントローラとリモート移動体電子装置のコントローラとの間に存在してもよく、移動体電子装置のコントローラはゲームサーバとして動作するように構成され、リモート移動体電子装置はゲームクライアントとして動作するように構成される。それに加えて又はその代わりに、ビデオゲームを実行する動作は、移動体電子装置のコントローラとリモート移動体電子装置のコントローラとの間で分散されてもよい。
【０００７】
移動体電子装置は専用ゲーム装置でもよく、あるいは、移動体電子装置は追加の機能を提供してもよい。例えば、移動体電子装置は、無線電話トランシーバを含んでもよく、コントローラは、無線電話トランシーバを使用して無線電話通信を提供するように更に構成されてもよい。また、公衆ディスプレイは、テレビ及びコンピュータモニタのうちいずれか一方であってもよい。
【０００８】
本発明の別の実施形態によると、移動体電子装置は、ビデオディスプレイ、ユーザインタフェース、無線トランシーバ及びコントローラを含んでもよい。ビデオディスプレイは、移動体電子装置のユーザにビデオ情報を提供するように構成されてもよく、ユーザインタフェースは、移動体電子装置においてユーザ入力を受け付けるように構成されてもよい。コントローラは、ビデオディスプレイ、ユーザインタフェース及び無線トランシーバに結合されてもよい。更に詳細には、コントローラは、ユーザインタフェースにおいて受け付けたユーザ入力に応答して無線トランシーバを使用してリモートゲーム装置にゲーム入力を送信するように構成されてもよく、コントローラは、ビデオディスプレイ上に表示するためのゲームビデオ情報を生成するように構成されてもよい。
【０００９】
コントローラは、無線トランシーバを使用してリモートゲーム装置から受信したビデオ情報に応答してゲームビデオ情報を生成してもよい。更に、無線トランシーバは、BlueTooth及びWLANトランシーバの少なくともいずれかのようなショートレンジトランシーバを含んでもよい。また、クライアント／サーバ関係がゲーム装置とコントローラとの間に存在してもよいため、ゲーム装置はビデオゲームを実行するゲームサーバとして動作するように構成され、移動体電子装置のコントローラはゲームクライアントとして動作するように構成される。それに加えて又はその代わりに、ビデオゲームを実行する動作は、移動体電子装置のコントローラとリモートゲーム装置のコントローラとの間で分散されてもよい。
【００１０】
リモートゲーム装置は、専用ゲーム装置、パーソナルコンピュータ及びラップトップコンピュータの少なくともいずれかであってもよい。更に、リモートゲーム装置はリモートディスプレイ上に公開ゲームビデオ情報を生成するように構成されてもよく、移動体電子装置のビデオディスプレイ上に表示するためのゲームビデオ情報と公開ゲームビデオ情報とが異なってもよい。更に詳細には、リモートディスプレイは、テレビ及びコンピュータモニタのうちいずれか一方であってもよい。
【００１１】
リモートゲーム装置は、リモート移動体電子装置であってもよい。更に、移動体電子装置は、無線電話トランシーバを含んでもよく、コントローラは、無線電話トランシーバを使用して無線電話通信を提供してもよい。
【００１２】
本発明の更に別の実施形態によると、ゲーム装置は、ディスプレイを有する少なくとも１つの移動体電子装置と協働してビデオゲームを実行するように構成されるコントローラを含んでもよい。更に詳細には、コントローラは、無線インタフェースを介して移動体電子装置から受信されたユーザ入力に応答してビデオゲームを実行し、公衆ディスプレイ上に表示するための公開ゲームビデオ情報を生成し、且つ移動体電子装置のディスプレイ上に表示するためのビデオゲームに対する個人ゲームビデオ情報を生成するように構成されてもよい。また、公開ゲームビデオ情報と個人ゲームビデオ情報とが異なってもよい。
【００１３】
移動体電子装置からのユーザ入力は、BlueTooth及びWLAN無線インタフェースの少なくともいずれかのようなショートレンジ無線インタフェースを介して受信されてもよい。更に、コントローラは、無線インタフェースを介して複数の移動体電子装置から受信されたユーザ入力に応答してビデオゲームを実行するように構成されてもよく、個人ゲームビデオ情報は、無線インタフェースを介して移動体電子装置に送信されてもよい。また、公衆ディスプレイは、テレビ及びコンピュータモニタのうちいずれか一方であってもよい。
【００１４】
本発明の更に別の実施形態によると、移動体電子装置上でゲームを行なう方法は、移動体電子装置のユーザインタフェースにおいて受け付けたユーザ入力に応答して移動体電子装置のコントローラ上でビデオゲームを実行することを含んでもよい。ビデオゲームに対する個人ゲームビデオ情報は、移動体ゲーム装置のビデオディスプレイ上に表示するために生成されてもよい。更に、ビデオゲームに対する公開ゲームビデオ情報が生成されてもよく、公開ゲームビデオ情報は、公衆ディスプレイ上に表示するために無線インタフェースを介して送信されてもよい。また、個人ゲームビデオ情報と公開ゲームビデオ情報とが異なってもよい。
【００１５】
無線送信器は、BlueTooth及びWLAN送信器の少なくともいずれかのようなショートレンジ送信器を含んでもよい。ゲーム入力は、無線受信器を介してリモート移動体電子装置から受信されてもよい。更に、ビデオゲームを実行することは、移動体電子装置のユーザインタフェースにおいて受け付けたユーザ入力及びリモート移動体電子装置から無線受信器を介して受信されたゲーム入力に応答してビデオゲームを実行することを含んでもよい。
【００１６】
本発明の更なる実施形態によると、移動体電子装置上でゲームを行なう方法は、移動体電子装置のユーザインタフェースにおいて受け付けたユーザ入力に応答して、移動体電子装置から無線インタフェースを介してリモートゲーム装置にゲーム入力を送信することを含んでもよい。また、ゲームビデオ情報は、移動体電子装置のビデオディスプレイ上に表示するために生成されてもよい。更に詳細には、ゲームビデオ情報を生成することは、リモートゲーム装置から無線インタフェースを介して受信されたビデオ情報に応答してゲームビデオ情報を生成することを含んでもよい。
【００１７】
無線インタフェースは、BlueTooth及びWLAN無線インタフェースの少なくともいずれかのようなショートレンジ無線インタフェースであってもよい。リモートゲーム装置は、ゲームコンソール、パーソナルコンピュータ及びラップトップコンピュータの少なくともいずれかでもよく、リモートゲーム装置は、リモート移動体電子装置でもよい。
【００１８】
本発明の更に別の実施形態によると、ビデオゲームを行なう方法は、無線インタフェースを介して移動体電子装置から受信されたユーザ入力に応答してビデオゲームを実行することを含んでもよい。公開ゲームビデオ情報は、公衆ディスプレイ上に表示するためにビデオゲームに対して生成されてもよく、個人ゲームビデオ情報は、移動体電子装置のディスプレイ上に表示するためにビデオゲームに対して生成されてもよい。また、公開ゲームビデオ情報と個人ゲームビデオ情報とが異なってもよい。更に、ビデオゲームを実行することは、無線インタフェースを介して複数の移動体電子装置から受信されたユーザ入力に応答してビデオゲームを実行することを含んでもよい。
【発明を実施するための最良の形態】
【００１９】
本発明の実施形態を示す添付の図面を参照して、本発明を以下に更に詳細に説明する。しかし、本発明は、種々の形式で実現されてもよく、本明細書において説明される実施形態に限定されると解釈されるべきではない。本開示が徹底した完全なものとなり、本発明の範囲を当業者に十分に示すために、それら実施形態は提供される。本明細書において、同一の図中符号は同一の要素を示す。
【００２０】
当業者には理解されるように、本発明は、方法又は装置として実現されてもよい。従って、本発明は、ハードウェア実施形態、ソフトウェア実施形態、あるいはソフトウェア及びハードウェアの面を組み合わせた実施形態の形式であってもよい。１つの要素が別の要素に「接続」又は「結合」されると言う場合、その要素は別の要素に直接接続又は結合されるか、あるいは仲介する要素が存在してもよいことは理解されるだろう。これに対して、１つの要素が別の要素に「直接接続」又は「直接結合」されると言う場合、仲介する要素は存在しない。本明細書において使用されるように、用語「・・・及び・・・の少なくともいずれか」は、１つ以上のリストされた関連する項目の任意の組合せ及び全ての組合せを含む。
【００２１】
また、第１、第２等の用語が種々の要素を説明するために本明細書において使用されるが、それら要素はそれら用語により限定されるべきではないことが理解されるだろう。それらの用語は、１つの要素又は１つの実施形態を別の要素又は別の実施形態と区別するために使用されるにすぎない。従って、第１の要素又は第１の実施形態は、第２の要素又は第２の実施形態と呼ばれてもよく、同様に、第２の要素又は第２の実施形態は、本発明の趣旨の範囲から逸脱せずに第１の要素又は第１の実施形態と呼ばれてもよい。
【００２２】
図１に示すように、複数のプレーヤは、各々の複数の移動体電子装置１０１ａ〜１０１ｃ、無線トランシーバ１０３及び公衆ディスプレイ１０５を使用してビデオゲームに参加することができる。移動体電子装置１０１ａ〜１０１ｃの各々は、コントローラ１１１ａ〜１１１ｃ、ディスプレイ１１５ａ〜１１５ｃ、ユーザインタフェース１１７ａ〜１１７ｃ、トランシーバ１１９ａ〜１１９ｃ（xceiver）及びアンテナ１２１ａ〜１２１ｃを含むことができる。更に詳細には、ビデオゲームに対する公開ビデオゲーム情報は、公衆ディスプレイ１０５上で全てのプレーヤに提供でき、個人ゲームビデオ情報は、移動体電子装置１０１ａ〜１０１ｃの各々のディスプレイ１１５ａ〜１１５ｃ上で個々のプレーヤに提供できる。１つ以上の移動体電子装置１０１ａ〜１０１ｃは、無線電話、パーソナルデジタルアシスタント及び専用移動体ゲーム装置の少なくともいずれかのような携帯電子装置であってもよい。
【００２３】
本発明の実施形態によると、移動体電子装置１０１ａ〜１０１ｃの各々が同一ゲームにおいて異なるプレーヤの参加をサポートするように、複数の移動体電子装置１０１ａ〜１０１ｃは無線ネットワーク化することができる。各プレーヤには、各々のディスプレイ１１５ａ〜１１５ｃ上で個人ゲームビデオ情報を提供することができ、公開ゲームビデオ情報は、公衆ディスプレイ１０５上で全てのプレーヤに提供することができる。各プレーヤに対する個人ゲームビデオ情報は固有のものであってもよく、公開ゲームビデオ情報は、任意のプレーヤに提供された個人ゲームビデオ情報とが異なってもよい。
【００２４】
例えばビデオポーカーゲームにおいて、各プレーヤは、各々の移動体電子装置１０１のディスプレイ１１５で手持ちのカード（すなわち、個人ゲームビデオ情報）を見ることができ、全てのプレーヤにより使用される賭け金、アンティ及び他の情報（すなわち、公開ゲームビデオ情報）の少なくともいずれかは、公衆ディスプレイ１０５で全てのプレーヤが見ることができる。別の例において、２人のプレーヤは、各々の移動体電子装置１０１ａ、１０１ｂを使用してアメリカンフットボールビデオゲームを行なうことができる。フットボールゲームの例において、プレーヤは、各プレー（プレーは、各移動体電子装置のディスプレイ１１５上に示される）の前に攻撃的プレー及び守備的プレー（すなわち、個人ゲームビデオ情報）を各移動体電子装置に秘密で入力でき、各プレーの実行（すなわち、公開情報）は、公衆ディスプレイ１０５に示される。
【００２５】
図１に示される本発明の特定の実施形態によると、移動体電子装置１０１は、キーパッド、ダイヤル、方向キー、ジョイスティック、タッチスクリーン及び追跡装置の少なくともいずれかのようなユーザインタフェース１１７を介してユーザ入力を受け付けることができる。コントローラ１１１は、ユーザインタフェース１１７を介して受け付けたユーザ入力に応答して移動体電子装置１０１の動作を制御することができる。更に、情報は、トランシーバ１１９及びアンテナ１２１を使用して無線インタフェースを介してコントローラ１１１により送受信される。例えば、トランシーバ１１９は、BlueTooth送信器／受信器及び８０２．１１規格の１つに従う無線ローカルエリアネットワーク（ＷＬＡＮ）送信器／受信器の少なくともいずれかのようなショートレンジ送信器／受信器を含んでもよく、それにより、無線インタフェースは、移動体電子装置１０１ａ〜１０１ｃ及び無線トランシーバ１０３の少なくともいずれかの間に提供されてもよい。例えば、BlueToothプロトコルは、専用システムマガジン（Dedicated Systems Magazine）の参考文献「BlueToothプロトコル構造（BlueTooth Protocol Architecture」）2000 Q4、２８〜３３ページにおいてサイレス・ラチ（Sailesh Rathi）により説明される。この開示内容は、参照により本明細書に全て組み込まれる。
【００２６】
それに加えて又はその代わりに、無線インタフェースを、携帯無線電話送信器及び受信器等の長距離送信器及び受信器を使用して、移動体電子装置１０１ａ〜１０１ｃ及び無線トランシーバ１０３の少なくともいずれかの間に提供することができる。長距離送信器及び受信器を使用すると、異なる場所にいるプレーヤは、公開ゲーム情報がテレビ番組として放送される場合に同一のゲームを行なうことができる。例えば、無線トランシーバ１０３はテレビ放送局に配置されてもよく、ディスプレイ１０５は別個に配置された複数のテレビであってもよい。あるいは、無線トランシーバ１０３、ディスプレイ１０５及び移動体電子装置１０１ａ〜１０１ｃは共に配置されてもよく、この時、長距離送信器及び受信器が別個のショートレンジ送信器及び受信器の追加を避けるために使用される。
【００２７】
更に、トランシーバ１１９は、例えば無線電話通信を提供するために長距離送信器及び受信器の少なくともいずれかを含んでもよい。移動体電子装置１０１は、ビデオゲームの動作に加えて無線電話及び他の動作の少なくともいずれかを提供することができる。それに加えて又はその代わりに、移動体電子装置１０１は、パーソナルデジタルアシスタントの機能を提供してもよい。例えば移動体電子装置は、ゲームの動作に加えて、電子アドレス帳、電子カレンダ、音楽の録音／再生、無線電話、インターネットブラウザ、電子メールの送信器／受信器／リーダ、テキストメッセージング、ページング及び他の機能の少なくともいずれかを提供してもよい。
【００２８】
図１に示すように、移動体電子装置１０１ａのコントローラ１１１ａは、移動体電子装置１０１ａのユーザインタフェース１１７ａを介して受け付けたユーザ入力に応答してビデオゲームを実行するように構成することができる。コントローラ１１１ａは、他の移動体電子装置１０１ｂ及び１０１ｃの少なくともいずれかのユーザインタフェース１１７ｂ及び１１７ｃの少なくともいずれかを介して受け付けた他のプレーヤからのユーザ入力に応答してビデオゲームを実行するように、更に構成されてもよい。ユーザインタフェース１１７ｂ、１１７ｃにおいて受け付けたユーザ入力は、各々のコントローラ１１１ｂ、１１１ｃにより処理され、各々のトランシーバ１１９ｂ、１１９ｃ及びアンテナ１２１ｂ、１２１ｃを使用して無線インタフェースを介して送信できる。更に、コントローラ１１１ａは、移動体電子装置１０１ａ〜１０１ｃの各々のディスプレイ１１５ａ〜１１５ｃに対して個人ゲームビデオ情報を生成するように構成され、各移動体電子装置に対する個人ゲームビデオ情報は異なってもよい。
【００２９】
更に詳細には、移動体電子装置１０１ａに対する個人ゲームビデオ情報は、コントローラ１１１ａによりディスプレイ１１５ａに直接提供することができる。移動体電子装置１０１ｂ、１０１ｃに対する個人ゲームビデオ情報は、トランシーバ１１９ａ及びアンテナ１２１ａを使用して無線インタフェースを介して送信され且つアンテナ１２１ｂ、１２１ｃ及びトランシーバ１１９ｂ、１１９ｃを使用して受信できる。コントローラ１１１ｂ、１１１ｃは、各々のディスプレイ１１５ｂ、１１５ｃ上に表示するために受信した個人ゲームビデオ情報を処理できる。あるいは、移動体電子装置１０１ｂ、１０１ｃのディスプレイ１１５ｂ、１１５ｃに対する個人ビデオゲーム情報は、ユーザインタフェース１１７ｂ、１１７ｃにおいて受け付けたユーザ入力に応答して各々のコントローラ１１１ｂ、１１１ｃにより生成されてもよい。あるいは、ディスプレイ１１５ｂ、１１５ｃに対する個人ゲームビデオ情報は、無線インタフェースを介して受信された情報と各々のユーザインタフェース１１７ｂ、１１７ｃを介して受け付けた情報との組合せであってもよい。
【００３０】
例えば、クライアント／サーバ関係が移動体電子装置１０１ａ〜１０１ｃのコントローラ１１１ａ〜１１１ｃ間に存在してもよいため、ビデオゲームを実行する移動体電子装置１１１ａのコントローラ１１１ａはゲームサーバとして動作するように構成され、移動体電子装置１０１ｂ及び１０１ｃの少なくともいずれかのコントローラ１１１ｂ及び１１１ｃの少なくともいずれかは、ゲームクライアントとして動作するように構成される。あるいは、ビデオゲームを実行するタスクがコントローラ１１１ａ〜１１１ｃ間で分散されてもよいため、ピア・ツー・ピア関係はコントローラ１１１ａ〜１１１ｃ間に存在する。従って、移動体電子装置１０１ａ〜１０１ｃは、個別の制御パッド又はジョイスティック等の個別のユーザ入力が必要とされないように、ゲームに対する全てのユーザ入力を受信してもよい。
【００３１】
更に、ビデオゲームを実行する移動体電子装置１０１ａのコントローラ１１１ａは、ビデオゲームに対する公開ゲームビデオ情報を生成するように構成することができ、公開ゲームビデオ情報を、公衆ディスプレイ１０５上に表示するために、トランシーバ１１９ａ及びアンテナ１２１ａにより無線トランシーバ１０３に送信できる。個別のブロックで示されるが、無線トランシーバ１０３及び公衆ディスプレイ１０５の機能は、単一の装置に組み込まれてもよい。例えば、無線トランシーバ１０３は、公衆ディスプレイ１０５の役割を果たすテレビのビデオ入力にプラグ接続されるBlueTooth及びWLANトランシーバの少なくともいずれかであってもよい。あるいは、無線トランシーバ１０３は、公衆ディスプレイを含んでもよい。リモートビデオディスプレイ上に移動体電子装置からのビデオ情報を表示することについては、例えば本発明の譲受人に譲渡された２００３年９月４日に出願された米国特許出願第１０／６５５，４２２号において説明される。米国特許出願第１０／６５５，４２２号の開示は、参照により本明細書に全て組み込まれる。例えば、公衆ディスプレイ１０５は、テレビ及びコンピュータモニタの少なくともいずれかであってもよい。
【００３２】
更に、移動体電子装置１０１ａと移動体電子装置１０１ｂ及び１０１ｃの少なくともいずれかとの間の無線リンク、並びに移動体電子装置１０１ａと無線トランシーバ１０３との間の無線リンクは、BlueToothプロトコル及びWLANプロトコルの少なくともいずれかのようなショートレンジ無線プロトコルを使用して提供されてもよい。それに加えて又はその代わりに、移動体電子装置１０１ａと移動体電子装置１０１ｂ及び１０１ａの少なくともいずれかとの間の無線リンク、並びに移動体電子装置１０１ａと無線トランシーバ１０３との間の無線リンクは、携帯無線電話送信器及び受信器等の長距離送信器及び受信器を使用して提供されてもよい。図１の実施形態において、ゲーム装置間の全てのリンクは、ビデオゲームを実行する移動体電子装置１０１ａを介して提供されるものとして示される。あるいは、ビデオゲームを実行する動作は、移動体電子装置１０１ａ〜１０１ｃ間で分散されてもよく、且つ／又は、無線リンクは、移動体電子装置１０１ｂ、１０１ｃ間及び移動体電子装置１０１ｂ、１０１ｃと無線トランシーバ１０３との間の少なくともいずれかに提供されてもよい。
【００３３】
図２に示すように、複数のプレーヤは、各々の複数の移動体電子装置２０１ａ〜２０１ｃ、ゲーム装置２０７、無線トランシーバ２０３及び公衆ディスプレイ２０５を使用してビデオゲームに参加することができる。移動体電子装置２０１ａ〜２０１ｃの各々は、コントローラ２１１ａ〜２１１ｃ、ディスプレイ２１５ａ〜２１５ｃ、ユーザインタフェース２１７ａ〜２１７ｃ、トランシーバ２１９ａ〜２１９ｃ及びアンテナ２２１ａ〜２２１ｃを含むことができる。更に詳細には、ビデオゲームに対する公開ビデオゲーム情報を、公衆ディスプレイ２０５上で全てのプレーヤに提供することができ、個人ゲームビデオ情報を、移動体電子装置２０１ａ〜２０１ｃの各々のディスプレイ２１５ａ〜２１５ｃ上で個々のプレーヤに提供することができる。１つ以上の移動体電子装置２０１ａ〜２０１ｃは、無線電話、パーソナルデジタルアシスタント及び専用移動体ゲーム装置の少なくともいずれかのような携帯電子装置であってもよい。
【００３４】
本発明の実施形態によると、移動体電子装置２０１ａ〜２０１ｃの各々が同一のゲームにおいて異なるプレーヤの参加をサポートするように、複数の移動体電子装置２０１ａ〜２０１ｃは無線トランシーバ２０３を介してゲーム装置２０７と無線ネットワーク化することができる。各プレーヤには、各々のディスプレイ２１５ａ〜２１５ｃ上で個人ゲームビデオ情報を提供することができ、公開ゲームビデオ情報を、公衆ディスプレイ２０５上で全てのプレーヤに提供することができる。各プレーヤに対する個人ゲームビデオ情報は固有のものであってもよく、公開ゲームビデオ情報は、任意のプレーヤに提供された個人ゲームビデオ情報とが異なってもよい。
【００３５】
例えばビデオポーカーゲームにおいて、各プレーヤは、各々の移動体電子装置２０１のディスプレイ２１５で手持ちのカード（すなわち、個人ゲームビデオ情報）を見ることができ、全てのプレーヤにより使用される賭け金、アンティ及び他の情報（すなわち、公開ゲームビデオ情報）の少なくともいずれかは、公衆ディスプレイ２０５において全てのプレーヤが見ることができる。別の例において、２人のプレーヤは、各々の移動体電子装置２０１ａ、２０１ｂを使用してアメリカンフットボールビデオゲームを行なうことができる。フットボールゲームの例において、プレーヤは、各プレー（プレーは、各移動体電子装置のディスプレイ２１５上に示される）の前に攻撃的プレー及び守備的プレー（すなわち、個人ゲームビデオ情報）を各移動体電子装置に秘密で入力でき、各プレーの実行（すなわち、公開情報）は、公衆ディスプレイ１０５に示される。
【００３６】
図２に示される本発明の特定の実施形態によると、移動体電子装置２０１は、キーパッド、ダイヤル、方向キー、ジョイスティック、タッチセンシティブスクリーン及び追跡装置の少なくともいずれかのようなユーザインタフェース２１７を介してユーザ入力を受け付けることができる。コントローラ２１１は、ユーザインタフェース２１７を介して受け付けたユーザ入力に応答して移動体電子装置２０１の動作を制御することができる。更に、情報は、トランシーバ２１９及びアンテナ２２１を使用して無線インタフェースを介してコントローラ２１１により送受信される。例えば、トランシーバ２１９は、BlueTooth送信器／受信器、及び、ＷＬＡＮ送信器／受信器の少なくともいずれかのようなショートレンジ送信器／受信器を含んでもよく、それにより、無線インタフェースは、移動体電子装置２０１ａ〜２０１ｃの各々と無線トランシーバ２０３との間に提供されてもよい。
【００３７】
それに加えて又はその代わりに、トランシーバ２１９は、携帯無線電話送信器及び受信器等のショートレンジ送信器及び受信器を含むことができる。長距離送信器及び受信器を使用すると、異なる場所にいるプレーヤは、公開ゲーム情報がテレビ番組として放送される場合に同一のゲームを行なうことができる。例えば、無線トランシーバ２０３及びゲーム装置２０７の少なくともいずれかはテレビ放送局に配置されてもよく、ディスプレイ２０５は別個に配置された複数のテレビでもよい。あるいは、無線トランシーバ２０３、ディスプレイ２０５及び移動体電子装置２０１ａ〜２０１ｃは共に配置されてもよく、この時、長距離送信器及び受信器が別個のショートレンジ送信器の追加を避けるために使用される。
【００３８】
更に、トランシーバ２１９は、例えば無線電話通信を提供するために長距離送信器、及び、受信器の少なくともいずれかを含むことができる。移動体電子装置２０１は、ビデオゲームの動作に加えて無線電話及び他の動作の少なくともいずれかを提供することができる。それに加えて又はその代わりに、移動体電子装置２０１は、パーソナルデジタルアシスタントの機能を提供してもよい。例えば移動体電子装置は、ゲームの動作に加えて、電子アドレス帳、電子カレンダ、音楽の録音／再生、無線電話、インターネットブラウザ、電子メールの送信器／受信器／リーダ、テキストメッセージング、ページング及び他の機能の少なくともいずれかを提供してもよい。
【００３９】
図２に示すように、ゲーム装置２０７は、ゲーム装置２０７においてユーザ入力を受け付けるように構成されるユーザインタフェース２０６及びコントローラ２０８を含むことができる。コントローラ２０８は、移動体電子装置２０１ａ〜２０１ｃのユーザインタフェース２１７ａ〜２１７ｃを介して受け付けられ且つ無線トランシーバ２０３を使用して無線インタフェースを介して移動体電子装置２０１ａ〜２０１ｃから受信されたユーザ入力に応答して、１つ以上の移動体電子装置２０１ａ〜２０１ｃと協働してビデオゲームを実行するように構成することができる。ユーザインタフェース２１７ａ〜２１７ｃにおいて受け付けたユーザ入力は、各々のコントローラ２１１ａ〜２１１ｃにより処理され、各々のトランシーバ２１９ａ〜２１９ｃ及びアンテナ２２１ａ〜２２１ｃを使用して無線インタフェースを介して送信できる。
【００４０】
更に詳細には、コントローラ２０８は、公衆ディスプレイ２０５上に表示するためにビデオゲームに対する公開ゲームビデオ情報を生成することができる。コントローラ２０８は、移動体電子装置２０１ａ〜２０１ｃのうち少なくとも１つのディスプレイ２１５ａ〜２１５ｃ上に表示するためにビデオゲームに対する個人ゲームビデオ情報を生成することができる。上述したように、公開ゲームビデオ情報は、個人ゲームビデオ情報とは異なる。
【００４１】
移動体電子装置２０１ａ〜２０１ｃに対する個人ゲームビデオ情報は、無線トランシーバ２０３を使用して無線インタフェースを介して送信され、アンテナ２２１ａ〜２２１ｃ及びトランシーバ２１９ａ〜２１９ｃを使用して受信できる。コントローラ２１１ａ〜２１１ｃは、各々のディスプレイ２１５ａ〜２１５ｃ上に表示するために受信した個人ゲームビデオ情報を処理できる。あるいは、移動体電子装置２０１ａ〜２０１ｃのディスプレイ２１５ａ〜２１５ｃに対する個人ビデオゲーム情報は、ユーザインタフェース２１７ａ〜２１７ｃにおいて受け付けたユーザ入力に応答して各々のコントローラ２１１ａ〜２１１ｃにより生成されてもよい。あるいは、ディスプレイ２１５ａ〜２１５ｃに対する個人ゲームビデオ情報は、無線インタフェースを介して受信された情報と各々のユーザインタフェース２１７ａ〜２１７ｃを介して受け付けた情報との組合せであってもよい。
【００４２】
例えば、クライアント／サーバ関係がゲーム装置２０７のコントローラ２０８と移動体電子装置２０１ａ〜２０１ｃのコントローラ２１１ａ〜２１１ｃとの間に存在してもよいため、ビデオゲームを実行するゲーム装置２０７のコントローラ２０８はゲームサーバとして動作するように構成され、移動体電子装置２０１ａ、２０１ｂ及び２０１ｃの少なくともいずれかのコントローラ２１１ａ、２１１ｂ及び２１１ｃの少なくともいずれかは、ゲームクライアントとして動作するように構成される。あるいは、ビデオゲームを実行するタスクがコントローラ２０８及びコントローラ２１１ａ〜２１１ｃ間で分散されてもよいため、ピア・ツー・ピア関係はコントローラ２０８と２１１ａ〜２１１ｃとの間に存在する。従って、移動体電子装置２０１ａ〜２０１ｃは、個別の制御パッド及びジョイスティックの少なくともいずれかのような個別のユーザ入力が必要とされないように、ゲームに対する全てのユーザ入力を受信してもよい。
【００４３】
更に、ビデオゲームを実行するゲーム装置２０７のコントローラ２０８は、ビデオゲームに対する公開ゲームビデオ情報を生成するように構成することができ、公開ゲームビデオ情報は、公衆ディスプレイ２０５上のパブリックゲーム用に提供することができる。例えば、無線トランシーバ２０３は、BlueTooth及びWLANトランシーバの少なくともいずれかであってもよい。個別のブロックで示されるが、無線トランシーバ２０３、ゲーム装置２０８及び公衆ディスプレイ２０５の少なくともいずれかの機能は、単一の装置に組み合わされてもよい。例えば、公衆ディスプレイ２０５は、テレビ及びコンピュータモニタの少なくともいずれかであってもよい。また、公開ビデオゲーム情報のみを使用する（個人ゲームビデオ情報は使用しない）従来のビデオゲームが、個別の移動体電子装置２０１ａ〜２０１ｃを使用せずに行なわれてもよいように、ユーザインタフェース２０６は、ゲーム装置２０７上に提供されてもよい。
【００４４】
更に、無線トランシーバ２０３と移動体電子装置２０１ａ、２０１ｂ及び２０１ｃの少なくともいずれかとの間の無線リンクは、BlueToothプロトコル及びWLANプロトコルの少なくともいずれかのようなショートレンジ無線プロトコルを使用して提供されてもよい。それに加えて又はその代わりに、無線トランシーバ２０３と移動体電子装置２０１ａ、２０１ｂ及び２０１ｃの少なくともいずれかとの間の無線リンクは、携帯無線電話プロトコル等の長距離プロトコルを使用して提供されてもよい。図２の実施形態において、ゲーム装置に対する全てのリンクは、無線トランシーバ２０３及びゲームを実行するゲーム装置２０７の少なくともいずれかを介して提供されるものとして示される。あるいは、ビデオゲームを実行する動作は、ゲーム装置２０７と移動体電子装置２０１ａ〜２０１ｃとの間で分散されてもよく、且つ／又は、無線リンクは、移動体電子装置２０１ａ〜２０１ｃ間に提供されてもよい。
【００４５】
個別の個人ディスプレイを含む移動体電子装置をより大きな公衆ディスプレイを含むゲーム環境に取り入れることにより、異なるビデオ情報が同一のゲームに参加している異なるプレーヤに提供されるため、プレーはより複雑化するだろう。ゲーム装置（移動体電子装置とは別の）をゲームサーバとして使用してビデオゲームを実行することにより、比較的高い処理能力がビデオゲームを実行するのに使用されるだろう。
【００４６】
図面及び明細書において、本発明の典型的な好適な実施形態が開示された。特定の用語が採用されるが、それら用語は説明する意図で包括的に使用されるのであり、限定する目的で使用されるのではない。本発明の範囲は、以下の請求の範囲において説明される。本明細書において使用されるように、用語「備える」はオープンエンド型の語であって、１つ以上の記載された要素、ステップ及び機能の少なくともいずれかを含む。更に詳細には、本明細書において使用される場合の用語「備える」は、記載された特徴、数字、ステップ又は構成要素の存在を特定するために利用されるが、１つ以上の他の特徴、数字、ステップ、構成要素又はそれらの集合の存在又は追加を除外するわけではないことが強調されるべきである。
【図面の簡単な説明】
【００４７】
【図１】発明の実施形態に対応する、移動体電子装置、無線トランシーバ及び方法を示すブロック図である。
【図２】発明の別の実施形態に対応する、移動体電子装置、無線トランシーバ及び方法を示すブロック図である。
【図１】
2008501382.tif 000003
【図２】
2008501382.tif 000004
【国際調査報告】
2008501382.tif 000005
2008501382.tif 000006
2008501382.tif 000007